(57)【要約】【目的】施工面の不陸を吸収して安定した施工状態が得られる外壁コーナー被覆部材を提供する。また、この被覆部材を建物のオーバーハング部に用いたときに、被覆部材の内側に入り込んだ水を外部に確実に排出させるようにして、長期にわたって躯体に腐食を生じさせないものとする。【構成】建物のオーバーハング部において、垂直片３１と水平片３２とにより断面略Ｌ字形に構成された外壁コーナー被覆部材３０を、垂直片が外装材４２と隣接するように、水平片が軒天井材４４に被さるように施工してなる外壁コーナー部構造である。被覆用部材の垂直片と水平片の外側面同士は略直角とされるが、水平片は先端に向かうにつれて厚さが薄くなるテーパー状内側面３２ａを有しており、その先端側に間隔をおいて設けられた複数のパッキン３３を介して軒天井材の下面に接するように施工されており、パッキン同士の間に排水通路（４９）が形成される。【選択図】    図３
2004176321.tif 000002
【特許請求の範囲】
【請求項１】
建物の外壁のコーナー部を被覆するように施工される断面略Ｌ字形のものであって、二つの構成片の外側面同士が略直角とされるとともにその少なくとも一方の内側面が先端に向かうにつれて厚さが薄くなるテーパー面とされており、且つ、該テーパー面の先端側に一または複数のパッキンが設けられてなることを特徴とする外壁コーナー被覆部材。
【請求項２】
建物の水平方向の張り出し部において、垂直片と水平片とにより断面略Ｌ字形に構成された外壁コーナー被覆部材を、垂直片が外装材と隣接するように、水平片が軒天井材に被さるように施工してなる外壁コーナー部構造であって、該被覆部材の垂直片と水平片の外側面同士が略直角とされるとともに水平片は先端に向かうにつれて厚さが薄くなるテーパー状内側面を有しており、且つ、該水平片は該テーパー状内側面の先端側に間隔をおいて設けられた複数のパッキンを介して軒天井材の下面に接するように施工されており、該パッキン同士の間に排水通路が形成されることを特徴とする外壁コーナー部構造。
【請求項３】
建物の出隅部において、二つの垂直片により断面略Ｌ字形に構成された外壁コーナー被覆部材を、各垂直片が外装材と隣接するようにして下地材に施工してなる外壁コーナー部構造であって、該被覆部材の各垂直片の外側面同士が略直角とされるとともにそれらの内側面がいずれも先端に向かうにつれて厚さが薄くなるテーパー状内側面とされており、且つ、該被覆部材の各垂直片は該テーパー状内側面の先端側に設けられた一または複数のパッキンを介して下地材の外面に接するように施工されていることを特徴とする外壁コーナー部構造。
【発明の詳細な説明】
【０００１】
【発明の属する技術分野】
本発明は、外壁コーナー被覆部材およびこれを用いた外壁コーナー部構造に関する。
【０００２】
【従来の技術】
建物の外壁コーナー、たとえば水平方向の張り出し部（建物から水平方向に外側に突出したベランダ、バルコニーなどの部分）においては、垂直片と水平片とにより断面略Ｌ字形に構成された外壁コーナー被覆部材を、垂直片が外装材と隣接するように、また、水平片が軒天井材に被さるように施工することが従来より行われているが、これらの突き合わせ部分がシーリング材で充填されるため、何らかの理由で外壁コーナー被覆部材の内側に水が入り込むと、水平片と軒天井材との間に溜まって躯体を腐食させるという問題が指摘されていた。
【０００３】
この問題を解決するため、下記特許文献１では、水平方向の張り出し部を被覆するように施工されるコーナー被覆部材の水平片に貫通孔を形成して、この貫通孔から内部の水を外部に排出するようにしている。
【０００４】
【特許文献１】
特開平９−１７７２８２号公報
【発明が解決しようとする課題】
しかしながら、上記従来技術では、水平片に形成した貫通孔を排水通路として利用するので、この貫通孔の位置に到達しない水分を排出させることができず、そのまま内部に残ってしまうため、躯体の腐食を完全には防止することができない。特に、水の表面張力によって水平片と軒天井材との間で水が膜を張った状態になると、貫通孔位置まで移動することができず、排水させることができなかった。
【０００５】
上記の問題は水平片に形成する貫通孔を様々な位置に多数設けたり、その大きさを大きくすることによってある程度解決可能であるが、水平片の強度低下を招き、輸送時や施工時などに加わる衝撃で割れや欠けなどの破損が生ずる可能性が大きくなり、現実的な解決策にはなり得ない。
【０００６】
また、上記従来技術によると、被覆部材の水平片に形成された貫通孔が張り出し部の下方から見上げたときに観察されてしまい、建物としての美観を損ねるという問題もあった。
【０００７】
【課題を解決するための手段】
上記課題を解決するため、本発明は、水平方向の建物の張り出し部に施工されるコーナー被覆部材において、その内側に水が入り込んだときであってもこれを確実に排出させて、長期にわたって躯体を腐食から有効に防止することを目的とする。
【０００８】
この目的を達成するため、請求項１にかかる本発明は、建物の外壁のコーナー部を被覆するように施工される断面略Ｌ字形のものであって、二つの構成片の外側面同士が略直角とされるとともにその少なくとも一方の内側面が先端に向かうにつれて厚さが薄くなるテーパー面とされており、且つ、該テーパー面の先端側に一または複数のパッキンが設けられてなることを特徴とする外壁コーナー被覆部材である。
【０００９】
また、本発明は、上記構成の外壁コーナー被覆部材を建物の水平方向の張り出し部に用いることによりその内部に水が入り込んだときにこれを確実に排出させて躯体腐食を有効に防止することのできる外壁コーナー部構造を提供することを目的とする。
【００１０】
この目的を達成するため、請求項２にかかる本発明は、建物の水平方向の張り出し部において、垂直片と水平片とにより断面略Ｌ字形に構成された外壁コーナー被覆部材を、垂直片が外装材と隣接するように、水平片が軒天井材に被さるように施工してなる外壁コーナー部構造であって、該被覆部材の垂直片と水平片の外側面同士が略直角とされるとともに水平片は先端に向かうにつれて厚さが薄くなるテーパー状内側面を有しており、且つ、該水平片は該テーパー状内側面の先端側に間隔をおいて設けられた複数のパッキンを介して軒天井材の下面に接するように施工されており、該パッキン同士の間に排水通路が形成されることを特徴とする。
【００１１】
さらに、本発明は、上記構成の外壁コーナー被覆部材を用いることによりその内部空間を利用した通気をより効果的に行うとともに下地の不陸を吸収可能にした外壁コーナー部構造を提供することを目的とする。
【００１２】
この目的を達成するため、請求項３にかかる本発明は、建物の出隅部において、二つの垂直片により断面略Ｌ字形に構成された外壁コーナー被覆部材を、各垂直片が外装材と隣接するようにして下地材に施工してなる外壁コーナー部構造であって、該被覆部材の各垂直片の外側面同士が略直角とされるとともにそれらの内側面がいずれも先端に向かうにつれて厚さが薄くなるテーパー状内側面とされており、且つ、該被覆部材の各垂直片は該テーパー状内側面の先端側に設けられた一または複数のパッキンを介して下地材の外面に接するように施工されていることを特徴とする。
【００１３】
【発明の実施の形態】
図１は本発明の一実施形態による出隅部構造を示す水平断面図であり、図２はこの出隅部構造に用いた外壁コーナー被覆部材を示す部分斜視図である。
【００１４】
出隅用外壁コーナー被覆部材１０は二つの垂直片１１，１２により断面略Ｌ字形に構成され、各垂直面の外側面同士は略直角とされているが、それらの内側面はいずれも先端に向かうにつれて厚さが薄くなるテーパー状内側面１１ａ，１２ａとされている。被覆部材１０は、木質材、無機質材、合成樹脂等の任意の材料から構成することができる。
【００１５】
これらテーパー状内側面１１ａ，１２ａの先端側には適当な間隔をおいてパッキン１３，１４が接着剤や両面テープなどを介して貼着されている。パッキン１３，１４としてはポリエチレン、ポリプロピレンなどの合成樹脂またはそれらの発泡体などであってその弾性により荷重を受けたときに変形可能な材質で構成される。パッキン１３，１４の厚さは、たとえば、テーパー状内側面１１ａ，１２ａによる垂直片１１，１２の厚さ変動分をカバーする厚さ、すなわちパッキン１３，１４の頂面が被覆部材１０の内角１５と略同一高さとなるような厚さとすることができる。
【００１６】
図１の出隅部構造は次のようにして施工される。すなわち、建物角部の柱１６の外側に透湿防水シート１７を被せた上に各々縦胴縁１８ａ，１８ｂを釘１９ａ，１９ｂで打ち付け、縦胴縁１８ａ，１８ｂの略中央にハット形ジョイナー２５ａ，２５ｂを釘２０ａ，２０ｂで打ち付けて仮固定することによって、壁下地を形成する。釘２０ａ，２０ｂを貫通させるための釘穴（図示せず）は水平方向に若干長い長穴としてハット形ジョイナー２５ａ，２５ｂに形成されているので、ハット形ジョイナー２５ａ，２５ｂは、縦銅縁１８ａ，１８ｂおよび柱１６に対して仮固定された状態であっても若干の水平方向移動が許容されている。
【００１７】
次いで、ハット形ジョイナー２５ａ，２５ｂの一側に各々図２の被覆部材１０の垂直片１１，１２を突き付けて釘２３ａ，２３ｂを縦胴縁１７ａ，１７ｂに貫通させて柱１６に打ち付ける。被覆部材１０の位置決めは、ハット形ジョイナー２５ａ，２５ｂを必要に応じて水平方向に移動させながら行うことができる。被覆部材１０を釘打ち固定することによってハット形ジョイナー２５ａ，２５ｂも位置決め固定されるので、その他端に各々外装材２１ａ，２１ｂの木口面を突き付けて釘２２ａ，２２ｂにより縦胴縁１７ａ，１７ｂおよび柱１６に打ち付けて固定する。そして、外装材２１ａ，２１ｂの木口面と被覆部材１０の垂直片１１，１２の木口面との間の目地部においてハット形ジョイナー２５ａ，２５ｂのハット部上にシーリング材２４ａ，２４ｂを充填することにより、図１の出隅部構造が得られる。
【００１８】
上記の施工方法は一例であり、他の方法で施工してもよい。たとえば、外装材２１ａ，２１ｂを釘打ち固定することに代えて、留め金具を用いて固定してもよい。
【００１９】
この出隅部構造において、被覆部材１０の垂直片１１，１２の先端に取り付けられたパッキン１３，１４はハット形ジョイナー２５ａ，２５ｂ越しに外壁構造下地である縦胴縁１８ａ，１８ｂに当接しているので、被覆部材１０の施工に際して、その施工面に不陸があってもパッキン１３，１４の弾性変形によって浮きのない安定した固定状態を得ることができる。
【００２０】
また、被覆部材１０の垂直片１１，１２の内側面が先端に向かうにつれて厚さが薄くなるテーパー状内側面１１ａ，１２ａとされているので、この出隅部構造において被覆部材１０の内側に形成される通気空間２６がテーパー分だけ大きくなるので、外観上は従来の出隅部構造と全く同様であるにもかかわらず、より優れた通気性能を発揮することができる。
【００２１】
図３は本発明の他の実施形態による水平方向張り出し部構造を示す垂直断面図であり、図４は図３中Ａ−Ａ断面図であり、図５はこの水平方向張り出し部構造に用いた外壁コーナー被覆部材を示す部分斜視図である。
【００２２】
図５に示される水平方向張り出し用外壁コーナー被覆部材３０は、垂直片３１と水平片３２により断面略Ｌ字形に構成され、これら各片の外側面同士は略直角とされており、また垂直片３１は略等厚であってその内側面３１ａも略垂直であるが、水平片３２の内側面は先端に向かうにつれて厚さが薄くなるテーパー状内側面３２ａとされている。被覆部材３０は、木質材、無機質材、合成樹脂等の任意の材料から構成することができる。
【００２３】
水平片３２のテーパー状内側面３２ａの先端側には適当な間隔をおいてパッキン３３が接着剤や両面テープなどを介して貼着されている。パッキン３３としてはポリエチレン、ポリプロピレンなどの合成樹脂またはそれらの発泡体などであってその弾性により荷重を受けたときに変形可能な材質で構成される。パッキン３３の厚さは、たとえば、テーパー状内側面３２ａによる水平片３２の厚さ変動分をカバーする厚さ、すなわちパッキン３３の頂面が被覆部材３０の内角３４と略同一高さとなるような厚さとすることができる。
【００２４】
図３および図４に示される水平方向張り出し部構造は次のようにして施工される。すなわち、横架構造材３５の下面に胴縁３６を釘３７で打ち付け、横架構造材３５の外面から胴縁３６の下面を覆うように透湿防水シート３８を被せてから、その外面側に横胴縁３９を釘４０で横架構造材３５に打ち付けて固定し、さらに銅縁３６上に透湿防水シート３８越しに軒天井材４４を釘４５により打ち付けて固定する。次いで、横胴縁３９にハット形ジョイナー４８を釘４１で打ち付けて仮固定することにより壁下地を形成する。釘４１を貫通させるための釘穴（図示せず）は垂直方向に若干長い長穴としてハット形ジョイナー４８に形成されているので、ハット形ジョイナー４８は、横銅縁３９および横架構造材３５に対して仮固定された状態であっても若干の垂直方向移動が許容されている。
【００２５】
次いで、ハット形ジョイナー４８の一端（下方）に図５の被覆部材３０の垂直片３１の木口面を突き付け、水平片３２が軒天井材４４上に被さるようにして、釘４６により縦胴縁３９および横架構造材３５に打ち付けて固定する。被覆部材３０の位置決めは、ハット形ジョイナー４８を必要に応じて垂直方向に移動させながら行うことができる。被覆部材３０を釘打ち固定することによってハット形ジョイナー４８も位置決め固定されるので、その他端（上方）に外装材４２の木口面を突き付けて釘４３を縦胴縁３９に貫通させて横架構造材３５に打ち付け固定し、外装材４２の木口面と被覆部材３０の垂直片３１の木口面との間の目地部においてハット形ジョイナー４８のハット部上にシーリング材４９を充填する。一方、上記により垂直片３１が固定された被覆部材３０の水平片３２を、その先端のパッキン３３を軒天井材４４の下面に押し付けながら釘４７で軒天井材４４および横架構造材３５に対して打ち付け固定する。以上により図３および図４に示される水平方向張り出し部構造が得られる。
【００２６】
上記の施工方法は一例であり、他の方法で施工してもよい。たとえば、外装材４２を釘打ち固定することに代えて、留め金具を用いて固定してもよい。
【００２７】
この水平方向張り出し部構造において、被覆部材３０の水平片３２の先端においてテーパー状内側面３２ａ上にパッキン３３が設けられており、これらパッキン３３が軒天井材４４に接して施工されているため、被覆部材３０の施工に際して、その施工面に不陸があってもパッキン３３の弾性変形によって浮きのない安定した固定状態を得ることができる。
【００２８】
また、被覆部材３０の水平片３２の内側面３２ａが先端に向かうにつれて厚さが薄くなるテーパー状内側面３２ａとされており、且つ、その先端に間隔をおいてパッキン３３が設けられているので、経時によるシーリング材４８の欠損などによって被覆部材３０の内側に雨水等の水分が入り込んだ場合であっても、水平片３２のテーパー状内側面３２ａを伝って先端に向けて移動し、パッキン３３間の排水通路４９から外部に排出される。したがって、被覆部材３０の内側に溜まった水分による躯体腐食の問題を未然に回避することができる。また、被覆部材３０の水平片３１の外側面は略水平に延出しており、且つ、水平片３１には貫通孔も設けられていないので、外観上の違和感のない張り出し部構造が得られる。
【００２９】
以上に本発明の実施形態について添付図面に基づいて詳述したが、本発明はこれらの実施形態に限定されるものではなく、特許請求の範囲に記載された範囲内において種々の変形態様を取り得ることは言うまでもない。
【００３０】
【発明の効果】
以上に説明したように、本発明によれば、建物の張り出し部や出隅部に好適に用いられるコーナー被覆部材が提供され、このコーナー被覆部材を用いることにより施工面の不陸を先端内側面に設けたパッキンで吸収することができるので、浮きのない安定した施工状態が得られる。
【００３１】
このコーナー被覆部材を建物のベランダやバルコニーなどに用いた水平方向張り出し部構造にあっては、被覆部材の内側に水が入り込んだときであっても、これを被覆部材のテーパー状傾斜面およびその先端のパッキン間の排水通路を介して外部に確実に排出させることができるので、長期にわたって躯体に腐食を生じさせないものとなる。
【００３２】
また、このコーナー被覆部材を建物の出隅部に用いた出隅部構造にあっては、被覆部材の両片にテーパー状内側面を持たせることによって被覆部材の内側に形成される通気空間が増大されるので、より良好な通気性能・断熱性能を与えることができる。
【図面の簡単な説明】
【図１】本発明の一実施形態による出隅部構造を示す水平断面図である。
【図２】この出隅部構造に用いた外壁コーナー被覆部材を示す部分斜視図である。
【図３】本発明の他の実施形態による張り出し部構造を示す垂直断面図である。
【図４】図３中Ａ−Ａ断面図である。
【図５】この張り出し部構造に用いた外壁コーナー被覆部材を示す部分斜視図である。
【符号の説明】
１０  外壁コーナー被覆部材（出隅用）
１１，１２  垂直片
１１ａ，１２ａ  テーパー状内側面
１３，１４  パッキン
１６  柱
１８ａ，１８ｂ  縦胴縁
２１ａ，２１ｂ  外装材
２６  通気空間
３０  外壁コーナー被覆部材（張り出し部用）
３１  垂直片
３２  水平片
３２ａ  テーパー状内側面
３３  パッキン
３５  横架構造材
３６  横胴縁
４４  軒天井材
５０  排水通路
【図１】
2004176321.tif 000003
【図２】
2004176321.tif 000004
【図３】
2004176321.tif 000005
【図４】
2004176321.tif 000006
【図５】
2004176321.tif 000007